(57)【要約】【課題】ワイパアームの基端とヘッドカバーのヒンジ部の天井壁との接触を回避し天井壁の傷の発生を確実に防止できるウォッシャノズル付きワイパを提供する。【解決手段】基端部１２ａがワイパシャフト１１に固定されたアームヘッド１２と、このアームヘッド１２を覆うヘッドカバー１３と、基端部１５ａがアームヘッド１２の先端部１２ｂに支軸１７を介して払拭面方向に回動自在に支持されると共に先端部１６ｃに払拭面を払拭するワイパブレード１８が連結されたワイパアーム１４と、このワイパアーム１４に設けられてウォッシャ液Ｗを払拭面に噴射させるウォッシャノズル１９と、を備えたウォッシャノズル付きワイパ１０において、ヘッドカバー１３を両側壁１３ａ，１３ａと天井壁１３ｂとで断面コ字状に形成すると共に、該ヘッドカバー１３の両側のヒンジ部１３ｃ，１３ｃ間の天井壁１３ｄをアームヘッド１２の上面１２ｅ側に凹ませた。【選択図】図１
2007261396.tif 000002
【特許請求の範囲】
【請求項１】
基端部がワイパシャフトに固定されたアームヘッドと、このアームヘッドを覆うヘッドカバーと、基端部が前記アームヘッドの先端部に支軸を介して払拭面方向に回動自在に支持されると共に先端部に払拭面を払拭するワイパブレードが連結されたワイパアームと、このワイパアームに設けられてウォッシャ液を前記払拭面に噴射させるウォッシャノズルと、を備えたウォッシャノズル付きワイパにおいて、
前記ヘッドカバーを両側壁と天井壁とで断面コ字状に形成すると共に、該ヘッドカバーのヒンジ部の天井壁を前記アームヘッドの上面側に凹ませたことを特徴とするウォッシャノズル付きワイパ。
【請求項２】
請求項１記載のウォッシャノズル付きワイパであって、
前記ヘッドカバーのヒンジ部の天井壁の中央部を該天井壁の両端より薄肉に形成すると共に、該天井壁の中央部を前記アームヘッドの上面側に凹ませて、前記ヘッドカバーのヒンジ部の天井壁と前記ワイパアームの基端部の中央部との間に隙間を形成したことを特徴とするウォッシャノズル付きワイパ。
【発明の詳細な説明】
【技術分野】
【０００１】
本発明は、例えば、車両のウインドシールドガラス等をウォッシャノズルより噴射したウォッシャ液を介して払拭するウォッシャノズル付きワイパに関する。
【背景技術】
【０００２】
この種のウォッシャノズル付きワイパとして、図９及び図１０に示すものがある。
【０００３】
このウォッシャノズル付きワイパ１は、図９及び図１０に示すように、基端部３ａがピボット軸２に固定されたアームヘッド３と、このアームヘッド３を覆うヘッドカバー４と、基端部６ａがアームヘッド３の先端部３ｂに支軸５を介して払拭面方向に回動自在に支持されると共に、先端部に払拭面を払拭する図示しないワイパブレードが連結されたワイパアームとしてのリテーナ６と、このリテーナ６に設けられてウォッシャ液を払拭面に噴射させる図示しないウォッシャノズルと、アームヘッド３及びリテーナ６に沿って配索されると共に、ウォッシャノズルに連結されてウォッシャ液を供給するチューブ７とを備えている。
【０００４】
【特許文献１】特開２００２−３６２３２６号公報
【発明の開示】
【発明が解決しようとする課題】
【０００５】
しかしながら、前記従来のウォッシャノズル付きワイパ１では、図１０に示すように、ヘッドカバー４のヒンジ部４ａの天井壁４ｂとリテーナ６の基端６ｂとの間には殆ど隙間がないため、リテーナ６が揺動する時やリテーナ６を起こす時（ワイパアームのロックバック時）等にリテーナ６の基端６ｂの縁部がヘッドカバー４のヒンジ部４ａの天井壁４ｂに接触して該天井壁４ｂに擦り傷等の傷が付き易かった。
【０００６】
そこで、本発明は、前記した課題を解決すべくなされたものであり、ワイパアームの基端とヘッドカバーのヒンジ部の天井壁との接触を回避して天井壁の傷の発生を確実に防止することができるウォッシャノズル付きワイパを提供することを目的とする。
【課題を解決するための手段】
【０００７】
請求項１の発明は、基端部がワイパシャフトに固定されたアームヘッドと、このアームヘッドを覆うヘッドカバーと、基端部が前記アームヘッドの先端部に支軸を介して払拭面方向に回動自在に支持されると共に先端部に払拭面を払拭するワイパブレードが連結されたワイパアームと、このワイパアームに設けられてウォッシャ液を前記払拭面に噴射させるウォッシャノズルと、を備えたウォッシャノズル付きワイパにおいて、前記ヘッドカバーを両側壁と天井壁とで断面コ字状に形成すると共に、該ヘッドカバーのヒンジ部の天井壁を前記アームヘッドの上面側に凹ませたことを特徴とする。
【０００８】
請求項２の発明は、請求項１記載のウォッシャノズル付きワイパであって、前記ヘッドカバーのヒンジ部の天井壁の中央部を該天井壁の両端より薄肉に形成すると共に、該天井壁の中央部を前記アームヘッドの上面側に凹ませて、前記ヘッドカバーのヒンジ部の天井壁と前記ワイパアームの基端部の中央部との間に隙間を形成したことを特徴とする。
【発明の効果】
【０００９】
以上説明したように、請求項１の発明によれば、ヘッドカバーを両側壁と天井壁とで断面コ字状に形成すると共に、該ヘッドカバーのヒンジ部の天井壁をアームヘッドの上面側に凹ませたことにより、ワイパアームの基端とヘッドカバーのヒンジ部の天井壁との接触を防止することができる。これにより、ワイパアームの基端の縁部によるヘッドカバーのヒンジ部の天井壁の傷の発生を防止することができる。
【００１０】
請求項２の発明によれば、ヘッドカバーのヒンジ部の天井壁の中央部を該天井壁の両端より薄肉に形成すると共に、該天井壁の中央部をアームヘッドの上面側に凹ませて、ヘッドカバーのヒンジ部の天井壁とワイパアームの基端の中央部との間に隙間を形成したことにより、ワイパアームの基端とヘッドカバーのヒンジ部の天井壁の中央部との接触を確実に防止することができる。これにより、ワイパアームの揺動時やロックバック時等に、ワイパアームの基端とヘッドカバーのヒンジ部の天井壁の中央部との接触を回避してワイパアームの基端の縁部によるヘッドカバーのヒンジ部の天井壁の中央部の傷の発生を確実に防止することができる。
【発明を実施するための最良の形態】
【００１１】
以下、本発明の実施形態を図面に基づいて説明する。
【００１２】
図１は本発明の第１実施形態のウォッシャノズル付きワイパの断面図、図２は同ワイパの要部の拡大断面図、図３は図２中Ｘ−Ｘ線に沿う断面図、図４は同ワイパのアームヘッドとヘッドカバーの関係を示す説明図、図５は同ヘッドカバーの斜視図、図６は同ヘッドカバーのヒンジ部の断面図である。
【００１３】
図１，図２に示すように、ウォッシャノズル付きワイパ１０は、基端部１２ａがピボット軸（ワイパシャフト）１１に固定されたアルミニウム製のアームヘッド１２と、このアームヘッド１２を覆う合成樹脂製のヘッドカバー１３と、基端部１５ａがアームヘッド１２の先端部１２ｂに支軸１７を介して払拭面方向に回動自在に支持されると共に、先端部１６ｃに図示しない車両のウインドシールドガラス等の払拭面を払拭するワイパブレード１８が連結されたワイパアーム１４と、このワイパアーム１４に設けられてウォッシャ液Ｗを図示しない払拭面に噴射させるウォッシャノズル１９と、アームヘッド１２及びワイパアーム１４に沿って配索されると共に、ウォッシャノズル１９に連結されてウォッシャ液Ｗを供給するチューブ２０とを備えている。
【００１４】
合成樹脂製のヘッドカバー１３は、アルミニウム製のアームヘッド１２より一回り大きい形状に形成されており、該アームヘッド１２を完全に覆うようになっている。即ち、図１〜図６に示すように、ヘッドカバー１３は、両側壁１３ａ，１３ａと天井壁１３ｂとで断面コ字状に形成されている。そして、ヘッドカバー１３の両側壁１３ａ，１３ａの先端側にはＣ字状のヒンジ部１３ｃ，１３ｃをそれぞれ形成してある。この両側のヒンジ部１３ｃ，１３ｃは、アームヘッド１２の両側面１２ｃ，１２ｃの各支軸１７の周りに一体突出形成された円柱状の軸部１２ｄに回動自在に支持されており、アームヘッド１２に対して上方（開く方向）に移動できるようになっている。
【００１５】
また、図３〜図６に示すように、ヘッドカバー１３の両側のヒンジ部１３ｃ，１３ｃ間の天井壁１３ｄは、アームヘッド１２の上面１２ｅ側に凹んでいる。即ち、ヘッドカバー１３の両側のヒンジ部１３ｃ，１３ｃ間の天井壁１３ｄは側面が円弧状に湾曲していると共に、該天井壁１３ｄの両端よりも中央部１３ｅを薄肉に形成してある。さらに、ヘッドカバー１３の両側のヒンジ部１３ｃ，１３ｃ間の天井壁１３ｄの中央部１３ｅは、アームヘッド１２の上面１２ｅ側に湾曲状に凹んでいる。これにより、図３に示すように、ヘッドカバー１３の両側のヒンジ部１３ｃ，１３ｃ間の天井壁１３ｄの中央部１３ｅとリテーナ（ワイパアーム）１５の基端１５ｂの中央部との間に隙間が形成されるようになっている。
【００１６】
尚、図１，図２に示すように、アームヘッド１２の上面１２ｅの先端部１２ｂ側にはＶ字状の凹部１２ｆを形成してあり、この凹部１２ｆに対応するように、ヘッドカバー１３の天井壁１３ｂの先端部側にもＶ字状の凹部１３ｆを形成してある。
【００１７】
図１に示すように、ワイパアーム１４は、基端部１５ａがアームヘッド１２の先端部１２ｂに支軸１７を介して払拭面に対して接近及び離反する方向に所定角度回動自在に支持されたリテーナ１５と、このリテーナ１５の中途部１５ｃに基端部１６ａが固着されたアームピース１６とで構成されている。このリテーナ１５の先端部１５ｄより露出したアームピース１６の中途部１６ｂにウォッシャノズル１９を配置してある。また、アームピース１６の先端部１６ｃに払拭面を払拭するワイパブレード１８を連結してある。さらに、アームピース１６とアームヘッド１２との間には引っ張りコイルスプリング２１を掛け渡してある。この引っ張りコイルスプリング２１の付勢力によりワイパアーム１４は払拭面側へ押圧付勢されるようになっている。そして、この引っ張りコイルスプリング２１の中を通るようにチューブ２０は配索されている。
【００１８】
以上実施形態のウォッシャノズル付きワイパ１０によれば、ヘッドカバー１３の両側のヒンジ部１３ｃ，１３ｃの天井壁１３ｄは両端よりも中央部１３ｅを薄肉に形成すると共に、該天井壁１３ｄの中央部１３ｅをアームヘッド１２の上面１２ｅ側に湾曲状に凹ませて、ヘッドカバー１３の両側のヒンジ部１３ｃ，１３ｃの天井壁１３ｄとリテーナ１５の基端１５ｂの中央部との間に隙間を形成したことにより、リテーナ１５の基端１５ｂとヘッドカバー１３の両側のヒンジ部１３ｃ，１３ｃ間の天井壁１３ｄの中央部１３ｅとの接触を確実に防止することができる。これにより、ワイパアーム１４の揺動時やロックバック時（起立時）等に、ワイパアーム１４のリテーナ１５の基端１５ｂとヘッドカバー１３の両側のヒンジ部１３ｃ，１３ｃ間の天井壁１３ｄの中央部１３ｅとの接触を回避してリテーナ１５の基端１５ｂの縁部によるヘッドカバー１３の両側のヒンジ部１３ｃ，１３ｃ間の天井壁１３ｄの中央部１３ｅの傷の発生を確実に防止することができる。
【００１９】
図７は本発明の第２実施形態のウォッシャノズル付きワイパのヘッドカバーの斜視図、図８は同ヘッドカバーの断面図である。尚、前記第１実施形態のアームヘッド１２及びリテーナ（ワイパアーム）１５は援用する。
【００２０】
この第２実施形態の合成樹脂製のヘッドカバー１３′の両側のヒンジ部１３ｃ，１３ｃ間の天井壁１３ｄは、図７及び図８に示すように、アームヘッド１２の上面１２ｅ側に凹んでいる。即ち、ヘッドカバー１３′の両側のヒンジ部１３ｃ，１３ｃ間の天井壁１３ｄは側面が円弧状に湾曲していると共に、該天井壁１３ｄの両端よりも中央部１３ｅ′を薄肉に形成してある。さらに、ヘッドカバー１３′の両側のヒンジ部１３ｃ，１３ｃ間の天井壁１３ｄの中央部１３ｅ′はアームヘッド１２の上面１２ｅ側に段差状に凹んでいる。これにより、ヘッドカバー１３′の両側のヒンジ部１３ｃ，１３ｃ間の天井壁１３ｄの中央部１３ｅ′とリテーナ１５の基端１５ｂの中央部との間に隙間が確実に形成されるようになっている。尚、他の構成は、前記第１実施形態と同様であるので、同一構成部分に同一符号を付して詳細な説明は省略する。
【００２１】
以上第２実施形態によれば、ヘッドカバー１３′の両側のヒンジ部１３ｃ，１３ｃの天井壁１３ｄは両端よりも中央部１３ｅ′を薄肉に形成すると共に、該天井壁１３ｄの中央部１３ｅ′をアームヘッド１２の上面１２ｅ側に段差状に凹ませて、ヘッドカバー１３′の両側のヒンジ部１３ｃ，１３ｃの天井壁１３ｄとリテーナ１５の基端１５ｂの中央部との間に隙間を形成したことにより、リテーナ１５の基端１５ｂとヘッドカバー１３′の両側のヒンジ部１３ｃ，１３ｃ間の天井壁１３ｄの中央部１３ｅ′との接触を確実に防止することができる。これにより、ワイパアーム１４の揺動時やロックバック時（起立時）等に、ワイパアーム１４のリテーナ１５の基端１５ｂとヘッドカバー１３′の両側のヒンジ部１３ｃ，１３ｃ間の天井壁１３ｄの中央部１３ｅ′との接触を回避してリテーナ１５の基端１５ｂの縁部によるヘッドカバー１３′の両側のヒンジ部１３ｃ，１３ｃ間の天井壁１３ｄの中央部１３ｅ′の傷の発生を確実に防止することができる。
【００２２】
尚、以上の前記各実施形態によれば、合成樹脂製のヘッドカバーを用いたが、金属製のヘッドカバーを用いても良いことは勿論である。
【図面の簡単な説明】
【００２３】
【図１】本発明の第１実施形態のウォッシャノズル付きワイパの断面図である。
【図２】上記ウォッシャノズル付きワイパの要部の拡大断面図である。
【図３】図２中Ｘ−Ｘ線に沿う断面図である。
【図４】上記ウォッシャノズル付きワイパのアームヘッドとヘッドカバーの関係を示す説明図である。
【図５】上記ヘッドカバーの斜視図である。
【図６】上記ヘッドカバーの断面図である。
【図７】本発明の第２実施形態のウォッシャノズル付きワイパのヘッドカバーの斜視図である。
【図８】上記第２実施形態のヘッドカバーの断面図である。
【図９】従来のウォッシャノズル付きワイパの要部の断面図である。
【図１０】図９中Ｘ−Ｘ線に沿う断面図である。
【符号の説明】
【００２４】
１０  ウォッシャノズル付きワイパ
１１  ピボット軸（ワイパシャフト）
１２  アームヘッド
１２ａ  基端部
１２ｂ  先端部
１２ｅ  上面
１３，１３′  ヘッドカバー
１３ａ，１３ａ  両側壁
１３ｂ  天井壁
１３ｃ  ヒンジ部
１３ｄ  ヒンジ部の天井壁
１３ｅ，１３ｅ′  中央部
１４  ワイパアーム
１５ａ  基端部
１５ｂ  基端
１６ｃ  先端部
１７  支軸
１８  ワイパブレード
１９  ウォッシャノズル
Ｗ  ウォッシャ液
【図１】
2007261396.tif 000003
【図２】
2007261396.tif 000004
【図３】
2007261396.tif 000005
【図４】
2007261396.tif 000006
【図５】
2007261396.tif 000007
【図６】
2007261396.tif 000008
【図７】
2007261396.tif 000009
【図８】
2007261396.tif 000010
【図９】
2007261396.tif 000011
【図１０】
2007261396.tif 000012